(57)【要約】【課題】宛先を指定せずに通信を行う。【解決手段】無線通信端末１０は、他の無線通信端末２０の所在を示す所在情報を受信する。無線通信端末１０は、所在情報から、無線通信端末２０の端末ＩＤと、無線通信端末２０からの最寄りの所定場所を識別するビーコンＩＤと、を取得する。無線通信端末１０は、ユーザにより指定された所定場所を受け付ける。無線通信端末１０は、端末ＩＤとビーコンＩＤとに基づいて、受け付けた所定場所を最寄りとする他の無線通信端末２０を、通信相手端末として決定する。無線通信端末１０は、決定した通信相手端末と通信を行う。【選択図】図１
2017201823.tif 000002
【特許請求の範囲】
【請求項１】
無線通信手段を備えた複数の無線通信端末を備える通信システムであって、
前記複数の無線通信端末のうち少なくとも１つは、
複数の場所にそれぞれ設置された複数のビーコン発信器の内で、近傍位置の場所に設置されたビーコン発信器から、前記場所に対応するビーコン識別情報を受信するビーコン受信手段と、
前記ビーコン受信手段により現在受信可能なビーコン識別情報と自端末の端末識別情報とを無線通信手段で繰り返し無線送信する送信手段と、を具備し、
前記複数の無線通信端末のうち他の少なくとも１つは、
前記送信手段により送信された送信元の端末識別情報と前記ビーコン識別情報との受信が確認できた場合に、前記端末識別情報と前記ビーコン識別情報とを対応づけて記憶手段に記憶させる記憶制御手段と、
通信を所望する場所が任意に選択された際は、その選択された場所に対応するビーコン識別情報に基づいて前記記憶手段に記憶された端末識別情報を特定し、特定された端末識別情報の割り当てられた無線通信端末との通信を行う通信手段と、
を具備したことを特徴とする通信システム。
【請求項２】
無線通信手段を備えた無線通信端末であって、
ビーコン受信手段と送信手段とを備える他の無線通信端末から送信された前記他の無線通信端末の端末識別情報とビーコン識別情報との受信が確認できた場合に、前記端末識別情報と前記ビーコン識別情報とを対応づけて記憶手段に記憶させる記憶制御手段と、
通信を所望する場所が任意に選択された際は、その選択された場所に対応するビーコン識別情報に基づいて前記記憶手段に記憶された端末識別情報を特定し、特定された端末識別情報の割り当てられた無線通信端末との通信を行う通信手段と、を具備し、
前記ビーコン受信手段は、複数の場所にそれぞれ設置された複数のビーコン発信器の内で、近傍位置の場所に設置されたビーコン発信器から、前記場所に対応するビーコン識別情報を受信し、
前記送信手段は、前記ビーコン受信手段により現在受信可能なビーコン識別情報と前記他の無線通信端末の端末識別情報とを無線通信手段で繰り返し無線送信する、
ことを特徴とする無線通信端末。
【請求項３】
前記ビーコン受信手段は、前記複数の場所にそれぞれ設置されるビーコン発信器からビーコン識別情報の受信の有無を繰り返しスキャンして当該無線通信端末の近傍位置にあるビーコン発信器からの信号を受信することで最新のビーコン識別情報を受信し、
前記送信手段は、前記ビーコン受信手段で新たなビーコン識別情報を受信する毎に、その新たなビーコン識別情報と前記他の無線通信端末の端末識別情報とを送信する、
ことを特徴とする請求項２に記載の無線通信端末。
【請求項４】
前記送信手段は、前記ビーコン受信手段で複数の場所のビーコン発信器からビーコン識別情報を受信した際は、受信レベルが最も大きいビーコン識別情報を選択し、その選択したビーコン識別情報と前記他の無線通信端末の端末識別情報とを無線送信する、
ことを特徴とする請求項２又は３に記載の無線通信端末。
【請求項５】
前記記憶制御手段は、前記他の無線通信端末の端末識別情報と前記ビーコン識別情報とを新たに受信した際は、前記他の無線通信端末の端末識別情報と同一の端末識別情報が前記記憶手段に既に記憶されているか否かを判別し、記憶されていれば、その記憶されていた前記端末識別情報の記憶内容に代わって、前記新たに受信した端末識別情報とビーコン識別情報とを更新して記憶させる、
ことを特徴とする請求項２〜４の何れかに記載の無線通信端末。
【請求項６】
前記記憶手段に記憶された前記ビーコン識別情報と前記端末識別情報との記憶内容を参照することで、前記ビーコン発信器の設置された前記複数の場所における無線通信端末の有無、あるいは無線通信端末の台数を一覧表示する表示制御手段、
を具備したことを特徴とする請求項２〜５の何れかに記載の無線通信端末。
【請求項７】
無線通信手段を備えた無線通信端末のコンピュータを制御するためのプログラムであって、
前記コンピュータを、
ビーコン受信手段と送信手段とを備える他の無線通信端末から送信された前記他の無線通信端末の端末識別情報とビーコン識別情報との受信が確認できた場合に、前記端末識別情報と前記ビーコン識別情報とを対応づけて記憶手段に記憶させる記憶制御手段、
通信を所望する場所が任意に選択された際は、その選択された場所に対応するビーコン識別情報に基づいて前記記憶手段に記憶された端末識別情報を特定し、特定された端末識別情報の割り当てられた無線通信端末との通信を行う通信手段、
として機能させ、
前記ビーコン受信手段は、複数の場所にそれぞれ設置された複数のビーコン発信器の内で、近傍位置の場所に設置されたビーコン発信器から、前記場所に対応するビーコン識別情報を受信し、
前記送信手段は、前記ビーコン受信手段により現在受信可能なビーコン識別情報と前記他の無線通信端末の端末識別情報とを無線通信手段で繰り返し無線送信する、
ことを特徴とするプログラム。
【発明の詳細な説明】
【技術分野】
【０００１】
本発明は、通信システム、無線通信端末及びプログラムに関する。
【背景技術】
【０００２】
従来から、同報通信可能なトランシーバーなどの無線通信端末が従業員間の連絡手段として、屋外、屋内で広く利用されている。
また、近年、同報通信に限らず、無線ＬＡＮなどに接続して特定の無線通信端末のみに発信可能な無線通信端末も普及してきている。
無線通信端末に関連して、特許文献１には、複数の無線通信端末からなるグループの外に向けて発信するために、グループ内の無線通信端末が発信した場合、同グループの他の無線通信端末には発信しないように制御する技術が開示されている。
【先行技術文献】
【特許文献】
【０００３】
【特許文献１】特開２００７−９６８３８号公報
【発明の概要】
【発明が解決しようとする課題】
【０００４】
ところで、無線通信端末を業務用で用いる場合、特定の人と通話したい場合だけでなく、特定の場所にいる人と通話したいという状況も存在する。例えば、大型店舗の屋内において、特定の場所付近の無線通信端末にだけ発信して通話したい状況も存在する。
しかしながら、そのような状況でも通信したい無線通信端末の宛先を指定しなければならなかった。
【０００５】
本発明は、他の無線通信端末と最新の位置情報を相互にやり取りし、宛先を直接指定する必要のない通信システム及び無線通信端末を提供することを目的とする。
【課題を解決するための手段】
【０００６】
請求項１は、無線通信手段を備えた複数の無線通信端末を備える通信システムであって、前記複数の無線通信端末のうち少なくとも１つは、複数の場所にそれぞれ設置された複数のビーコン発信器の内で、近傍位置の場所に設置されたビーコン発信器から、前記場所に対応するビーコン識別情報を受信するビーコン受信手段と、前記ビーコン受信手段により現在受信可能なビーコン識別情報と自端末の端末識別情報とを無線通信手段で繰り返し無線送信する送信手段と、を具備し、前記複数の無線通信端末のうち他の少なくとも１つは、前記送信手段により送信された送信元の端末識別情報と前記ビーコン識別情報との受信が確認できた場合に、前記端末識別情報と前記ビーコン識別情報とを対応づけて記憶手段に記憶させる記憶制御手段と、通信を所望する場所が任意に選択された際は、その選択された場所に対応するビーコン識別情報に基づいて前記記憶手段に記憶された端末識別情報を特定し、特定された端末識別情報の割り当てられた無線通信端末との通信を行う通信手段と、を具備したことを特徴とする。
【０００７】
請求項２は、無線通信手段を備えた無線通信端末であって、ビーコン受信手段と送信手段とを備える他の無線通信端末から送信された前記他の無線通信端末の端末識別情報とビーコン識別情報との受信が確認できた場合に、前記端末識別情報と前記ビーコン識別情報とを対応づけて記憶手段に記憶させる記憶制御手段と、通信を所望する場所が任意に選択された際は、その選択された場所に対応するビーコン識別情報に基づいて前記記憶手段に記憶された端末識別情報を特定し、特定された端末識別情報の割り当てられた無線通信端末との通信を行う通信手段と、を具備し、前記ビーコン受信手段は、複数の場所にそれぞれ設置された複数のビーコン発信器の内で、近傍位置の場所に設置されたビーコン発信器から、前記場所に対応するビーコン識別情報を受信し、前記送信手段は、前記ビーコン受信手段により現在受信可能なビーコン識別情報と前記他の無線通信端末の端末識別情報とを無線通信手段で繰り返し無線送信する、ことを特徴とする。
【発明の効果】
【０００８】
本発明によれば、通信したい無線通信端末の宛先を指定する必要がなくなる。
【図面の簡単な説明】
【０００９】
【図１】実施形態に係る全体の構成例を示す図である。
【図２】実施形態に係る複数のビーコン装置の設置例を示す図である。
【図３】ビーコンＩＤ送信処理のフローチャートの一例を示す図である。
【図４】実施形態に係る無線通信端末の構成例を示すブロック図である。
【図５】管理テーブルの一例を示す図である。
【図６】推定処理のフローチャートの一例を示す図である。
【図７】所在情報の一例を示す図である。
【図８】所在情報受信処理のフローチャートの一例を示す図である。
【図９】所在テーブルの一例を示す図である。
【図１０】無線通信端末の操作画面の一例を示す図である。
【図１１】音声通信処理のフローチャートの一例を示す図である。
【図１２】変形例に係る全体の構成例を示す図である。
【図１３】管理テーブルの別例を示す図である。
【発明を実施するための形態】
【００１０】
以下、本発明の実施形態について図面を参照して説明する。
図１は、本発明の実施形態に係る全体の構成例を示す図である。
【００１１】
図１に示す全体の構成例では、複数の無線通信端末（１０、２０、３０）と、複数のビーコン装置（１、２、３、４、５）と、を備える。この無線通信端末１０、２０、３０はいずれも構成が同じなので、いずれかを特段区別する必要がない場合は、以下代表して無線通信端末１０により説明する。また、ビーコン装置１乃至５も同様に構成が同じなので、いずれかを特段区別する必要がない場合は、以下代表してビーコン装置１により説明する。
【００１２】
無線通信端末１０は、送信機能と受信機能とを備えたトランシーバーなどの可搬型の送受信端末である。この無線通信端末１０は、ビーコン装置１との間でBluetooth（登録商標）による近距離無線通信を行う。また、無線通信端末１０は、他の無線通信端末２０、３０などとの間で、アクセスポイントなどによりネットワーク１００を介して、無線ＬＡＮ（Local Area Network）による無線通信を行う。
【００１３】
ビーコン装置１は、所定場所に設置され、その所定場所を識別する場所識別情報として、自装置のビーコンＩＤを送信する。なお、この実施形態では、理解を容易にするために、各ビーコン装置１乃至５のビーコンＩＤはそれぞれ、１乃至５であるとする。
【００１４】
図２に、複数のビーコン装置の設置例を示す。図２では、スーパーマーケットの店内の各所定場所（レジ、野菜売り場、精肉売り場、鮮魚売り場、総菜売り場）に各ビーコン装置がそれぞれ設置されている。各ビーコン装置は、図中破線で示すように、送信するビーコンＩＤの信号強度が持ち場の周囲をカバーする程度に予め調整されている。
【００１５】
ここで、ビーコン装置１のビーコンＩＤ送信処理について、図３を参照しながら説明する。ビーコン装置１は、所定場所に設置されてユーザにより電源をＯＮされたタイミングあるいは送信処理を開始するためのスイッチが押下されたタイミングで以下の処理を順に行う。
【００１６】
まず、ビーコン装置１は、自装置のビーコンＩＤを送信する（ステップＳ１１）。具体的には、ビーコン装置１は、レジの場所を識別する場所識別情報として、ビーコンＩＤ１を図２に破線で示す送信範囲に送信する。
【００１７】
次に、ビーコン装置１は、タイマをスタートして（ステップＳ１２）、タイムアウトするまで待機し（ステップＳ１３；Ｎｏ）、タイムアウトすると（ステップＳ１３；Ｙｅｓ）、ステップＳ１１に戻る。例えば、ビーコン装置１は、タイマを１秒にセットしてスタートし、１秒経過するまで待機して、１秒経過すると再びビーコンＩＤ１を送信する。
【００１８】
つまり、ビーコン装置１は、タイマでセットした所定間隔でビーコンＩＤ１を送信する。このように、図２に示した各ビーコン装置は、所定間隔で場所識別情報（ビーコンＩＤ）を間欠的に周囲に送信する。
【００１９】
次に、図４を参照しながら、無線通信端末１０の構成について説明する。
無線通信端末１０は、制御部１１、入力部１２、表示部１３、記憶部１４、音声入出部１５、近距離無線通信部１６及び無線通信部１７を備える。
【００２０】
制御部１１は、例えばＣＰＵ（Central Processing Unit）やＲＯＭ（Read Only Memory）などにより構成される。制御部１１は、ＲＯＭに記憶されたプログラムに従って制御することにより、無線通信端末１０の各種機能を実現する。
【００２１】
入力部１２は、例えば複数のスイッチなどから構成され、ユーザの操作内容を入力するために用いられる。
表示部１３は、例えば、ＬＣＤ（Liquid Crystal Display）やＥＬ（Electroluminescence）ディスプレイなどによって構成される。表示部１３は、画像信号に従って画像を表示する。
【００２２】
記憶部１４は、ＨＤＤ（Hard Disk Drive）などの不揮発性メモリから構成され、データやテーブルなどを記憶する。記憶部１４は、テーブルとして、図５に示す管理テーブルを記憶する。
【００２３】
この管理テーブルは、場所識別情報であるビーコンＩＤと、その場所識別情報が識別する場所と、チャネルであるグループアドレスと、を対応付けたテーブルである。このグループアドレスは、ＩＰ（Internet Protocol）におけるマルチキャストアドレスである。このグループアドレスを所定場所毎に割り当てておくことにより、送信側はグループアドレスに向けて無線ＬＡＮで音声データを同報送信することができる。一方、受信側は、そのグループアドレスをデータ受信可能に設定しておくことで、音声データを受信することができる。これにより、送信側と受信側との間での音声通信が可能となる。
【００２４】
なお、各無線通信端末は、全体のグループアドレスについては常にデータ受信可能に設定しておく。これにより、各無線通信端末は、全体に向けた音声データは常に受信できる。一方で、各無線通信端末は、所定場所毎のグループアドレスについては、自端末のユーザ（例えば、従業員）の移動に伴って、データ受信の可能不可能を切り替える。この点については、後述する。
【００２５】
図４に戻って、音声入出力部１５は、音声を入力するためのマイクと、音声を出力するためのスピーカと、から構成される。音声入出力部１５は、マイクから収音した音声を音声データに変換したり、無線通信で受信した音声データに基づいて音声をスピーカから出力したりする。
【００２６】
近距離無線通信部１６は、Bluetoothによる近距離無線通信を行うためのインタフェースである。無線通信端末１０は、近距離無線通信部１６を介して、例えば、ビーコン装置１からビーコンＩＤ１を受信する。
無線通信部１７は、ネットワーク１００を介した無線ＬＡＮによる無線通信を行うためのインタフェースである。無線通信端末１０は、無線通信部１７を介して、例えば、他の無線通信端末２０と音声通信を行う。
【００２７】
次に、無線通信端末１０の制御部１１が行う、自端末の所在を推定する推定処理について図６を参照しながら説明する。制御部１１は、この推定処理を、所定間隔毎（例えば、６秒毎）に開始する。
【００２８】
まず、制御部１１は、スキャン用のタイマをスタートして（ステップＳ２１）、ビーコンＩＤをスキャンする（ステップＳ２２）。このスキャンとは、ビーコンＩＤの受信有無を確認する動作をいう。
【００２９】
次に、制御部１１は、ビーコンＩＤを受信したか否かを判定し（ステップＳ２３）、受信した場合は（ステップＳ２３；Ｙｅｓ）、その受信レベルとビーコンＩＤを記憶して（ステップＳ２４）、ステップＳ２５に進む。一方で、制御部１１は、ビーコンＩＤを受信しなかった場合は（ステップＳ２３；Ｎｏ）、ステップＳ２４をスキップしてステップＳ２５に進む。
【００３０】
ステップＳ２５において、制御部１１は、タイムアウトしたか否か判定し、タイムアウトしていなければ（ステップＳ２５；Ｎｏ）、ステップＳ２２に戻って再びスキャンを行う。このように、制御部１１は、スキャン用のタイマをスタートさせてからタイムアウトするまでビーコンＩＤを受信したか否かを常にモニタリングしておき、ビーコンＩＤを受信すればその受信レベルとＩＤを記憶する。
【００３１】
ここで、タイマをスタートさせてからタイムアウトするまでのスキャン間隔（Ｔｓｃａｎ）は、推定処理を行う所定間隔（Ｔｉｎｔｖｌ）以下、すなわちＴｓｃａｎ≦Ｔｉｎｔｖｌである必要がある。また、Ｔｓｃａｎは、ビーコンＩＤが送信される送信間隔のＮ倍であることが好ましい。このため、各ビーコン装置が１秒毎にビーコンＩＤを送信する場合、Ｔｓｃａｎは例えば３倍の３秒にするとよい。これにより、一例として、６秒間隔で推定処理を行い、その間３秒はスキャンを行う。
【００３２】
図６に戻って、スキャンのタイムアウト後（ステップＳ２５；Ｙｅｓ）、制御部１１は、スキャン中にビーコンＩＤを受信したか否か判定する（ステップＳ２６）。スキャン中にビーコンＩＤを受信したと判定した場合（ステップＳ２６；Ｙｅｓ）、制御部１１は、複数のビーコンＩＤを受信したか否か判定する（ステップＳ２７）。
【００３３】
ここで、複数のビーコンＩＤを受信しなかった場合（ステップＳ２７；Ｎｏ）、すなわち受信したビーコンＩＤが１つの場合、制御部１１は、受信したビーコンＩＤを含む所在情報をブロードキャストする（ステップＳ２８）。
【００３４】
具体的には、制御部１１は、ビーコンＩＤ（場所識別情報）が１の場合、そのビーコンＩＤが識別するビーコン装置（所定場所）を最寄りのビーコン装置として特定し、その特定した最寄りのビーコン装置を自端末の所在と推定する。そして、制御部１１は、最寄りのビーコン装置のビーコンＩＤと、自端末の端末ＩＤと、を含む自端末の所在を示す所在情報（図７参照）を、他の無線通信端末２０、３０に無線ＬＡＮを介してブロードキャストする。
【００３５】
例えば、制御部１１は、ビーコンＩＤ１の場合、自端末（無線通信端末１０）の最寄りはレジと特定し、そのレジが自端末の所在と推定する。そして、制御部１１は、ビーコンＩＤ１と、端末ＩＤ１０と、を含む所在情報を、ブロードキャストする。
【００３６】
一方で、複数のビーコンＩＤを受信したと判定した場合（ステップＳ２７；Ｙｅｓ）、制御部１１は、受信レベルが最大のビーコンＩＤを含む所在情報をブロードキャストする（ステップＳ２９）。
【００３７】
具体的には、制御部１１は、ビーコンＩＤ（場所識別情報）が複数の場合、受信レベルが最大のビーコンＩＤが識別するビーコン装置を最寄りのビーコン装置として特定し、その特定した最寄りのビーコン装置を自端末の所在と推定する。
【００３８】
例えば、制御部１１は、ビーコンＩＤ１、２、３を受信した場合、それぞれのビーコンＩＤの受信レベルを比較して、受信レベルが最大のビーコンＩＤ（例えば、ビーコンＩＤ２）と、端末ＩＤ１０と、を含む所在情報を、ブロードキャストする。
【００３９】
ここで、それぞれのビーコンＩＤの受信レベルを比較する方法としては、受信レベルの平均値、最大値又は中央値により比較する方法がある。この際、それぞれのビーコンＩＤの受信回数が多ければ、受信レベルが最大のビーコンＩＤを特定する精度が上がるので、スキャン間隔（Ｔｓｃａｎ）は推定処理の所定間隔（Ｔｉｎｔｖｌ）以下でなるべく長い時間スキャンするとよい。
【００４０】
図６に戻って、ステップＳ２６において、スキャン中にビーコンＩＤを受信しなかった場合（ステップＳ２６；Ｎｏ）、制御部１１は、ビーコンＩＤなしの所在情報をブロードキャストする（ステップＳ３０）。すなわち、制御部１１は、ビーコンＩＤを空にして自端末の端末ＩＤ１０のみを含む所在情報をブロードキャストする。
【００４１】
以上、図６の推定処理を所定間隔（Ｔｉｎｔｖｌ）で繰り返すことにより、各無線通信端末は、自端末の所在情報を他の無線通信端末に送信する。
この図６の推定処理の後、各無線通信端末は、自端末からの最寄りのビーコン装置のビーコンＩＤに割り当てられたグループアドレスを、管理テーブルを参照して特定する。そして、特定したグループアドレスをデータ受信可能に設定し、全体のグループアドレスを除くその他のグループアドレスをデータ受信不可に設定する。
【００４２】
例えば、無線通信端末１０の最寄りのビーコン装置のビーコンＩＤが１の場合、制御部１１は、管理テーブルを参照してビーコンＩＤ１（レジ）に割り当てられたグループアドレス（224.１.１.１0１）を特定する。そして、特定したグループアドレスをデータ受信可能に設定し、全体のグループアドレス（224.１.１.１00）を除くその他のグループアドレス（224.１.１.１02乃至224.１.１.１05）をデータ受信不可に設定する。
【００４３】
このように、各無線通信端末は、ユーザの移動に伴って最寄りのビーコン装置が変われば、その都度、設定内容を変更する。このため、各無線通信端末は、自端末からの最寄りのビーコン装置（最寄りの所定場所）周辺にいる間は、その所定場所のグループアドレスに向けて送信された音声データを受信できる。
【００４４】
次に、図６の推定処理において送信された所在情報を受信した無線通信端末が行う所在情報受信処理について図８を参照しながら説明する。この図８においては、無線通信端末１０が他の無線通信端末２０、３０などから送信された所在情報を受信した場合を適宜例にとって説明する。無線通信端末１０の制御部１１は、所在情報の待ち受け状態にあり（ステップＳ４１；Ｎｏ）、所在情報を受信すると（ステップＳ４１；Ｙｅｓ）、以下の処理を順に行う。
【００４５】
制御部１１は、所在情報から端末ＩＤを取得する（ステップＳ４２）。例えば、制御部１１は、他の無線通信端末２０の所在情報から端末ＩＤ２０を取得する。
【００４６】
次に、制御部１１は、取得した端末ＩＤは記憶済みか否か判定する（ステップＳ４３）。制御部１１は、この判定を記憶部１４に記憶している所在テーブルを参照して行う。この所在テーブルの一例を図９に示す。所在テーブルは、端末ＩＤと、ビーコンＩＤと、そのビーコンＩＤが識別する場所と、を対応付けたテーブルである。この所在テーブルにより、無線通信端末１０は、他の無線通信端末２０、３０の所在を管理することができる。
【００４７】
図８に戻って、取得した端末ＩＤが記憶済みと判定した場合（ステップＳ４３；Ｙｅｓ）、制御部１１は、記憶済みの端末ＩＤのエントリを削除して（ステップＳ４４）、取得した端末ＩＤとビーコンＩＤとを対応付けて記憶する（ステップＳ４５）。例えば、制御部１１は、取得した端末ＩＤ２０のエントリを所在情報から削除して、取得した端末ＩＤ２０とビーコンＩＤ５とビーコンＩＤ５が識別する所定場所の総菜売り場とを対応付けて所在テーブルに新たに記憶する。
【００４８】
一方、取得した端末ＩＤは記憶済みでないと判定した場合（ステップＳ４３；Ｎｏ）、制御部１１は、取得した端末ＩＤとビーコンＩＤとを対応付けて記憶する（ステップＳ４５）。
【００４９】
ステップＳ４５の後、所在情報受信処理を終了する。この処理によれば、無線通信端末１０は、他の無線通信端末２０、３０などから送信される所在情報に基づいて、他の無線通信端末２０、３０などの最新の所在を所定テーブルで管理できる。そして、制御部１１は、この所在テーブルに基づいて、図１０に示すような操作画面を自端末の表示部１３に表示することができる。
【００５０】
この操作画面は、各所定場所と端末台数とを対応付けて表示したものである。これにより、ユーザは、スーパーマーケット全体の端末台数は８台で、その８台が各所定場所においてそれぞれ何台あるか一目で把握することができる。
【００５１】
ここで、この操作画面を利用した音声通信処理について図１１を参照しながら説明する。この処理は、ユーザが入力部１２により通話したい所定場所（図１０の例では、全体、レジ、野菜売り場、精肉売り場、鮮魚売り場、総菜売り場のいずれか）を指定したことを契機として開始する。
【００５２】
まず、制御部１１は、指定された所定場所を受け付ける（ステップＳ５１）。例えば、制御部１１は、指定された鮮魚売り場を受け付ける。
【００５３】
次に、制御部１１は、所定場所を最寄りとする他の無線通信端末を、通信相手端末として決定する（ステップＳ５２）。具体的には、制御部１１は、所在テーブルを参照して、所定場所に対応付けられている端末ＩＤを全て特定して、その特定した全ての端末ＩＤそれぞれが識別する無線通信端末を、通信相手端末として決定する。
【００５４】
例えば、制御部１１は、所在テーブルを参照して、鮮魚売り場に対応付けられている２台の端末ＩＤを特定して、その特定した２台の端末ＩＤそれぞれが識別する無線通信端末を、通信相手端末とする。このことは、換言すると、鮮魚売り場を識別するビーコンＩＤ４と端末ＩＤとを含む所在情報を送信した無線通信端末を、通信相手端末としていると言える。つまり、制御部１１は、所在情報が含む端末ＩＤとビーコンＩＤとに基づいて、受け付けた所定場所（例えば、鮮魚売り場）を最寄りとする他の無線通信端末を通信相手端末として決定する。
【００５５】
次に、制御部１１は、決定した通信相手端末と音声通信を行う（ステップＳ５３）。具体的には、制御部１１は、受け付けた所定場所に割り当てられたグループアドレスを管理テーブルを参照して特定し、その特定したグループアドレスに向けて音声データを送信する。通信相手端末は、このグループアドレスをデータ受信可能に設定している。このため、通信相手端末が１の場合その通信相手端末と音声通信が可能となり、通信相手端末が複数の場合その複数の通信相手端末とグループ音声通信が可能となる。
【００５６】
例えば、制御部１１は、受け付けた鮮魚売り場に割り当てられたグループアドレス（224.１.１.１04）に向けて音声データを送信すると、無線通信端末１０は、通信相手端末となる２台の無線通信端末とグループ音声通信を行うことができる。なお、無線ＬＡＮによる音声通信に限らず他の通信（例えば、メール通信など）を行ってもよい。
【００５７】
以上、この実施形態においては、無線通信端末１０の制御部１１は、指定された所定場所を受け付けて、その所定場所を最寄りとする他の無線通信端末を、受信した所在情報（ビーコンＩＤと端末ＩＤと）に基づいて特定し、その特定した他の無線通信端末を通信相手端末として決定する。そして、制御部１１は、決定した通信相手端末と音声通信を行う。
【００５８】
このため、ユーザは、特定の場所にいる人と通話を行うことができる。したがって、この実施形態における無線通信端末１０、２０、３０などによれば、通信したい無線通信端末の宛先を指定することなく、特定場所に限定して通話などの通信を行うことができる。
【００５９】
また、無線通信端末１０の制御部１１は、所定場所を識別するビーコンＩＤを受信して、そのビーコンＩＤに基づいて自端末の所在を推定する。推定に際しては、ビーコンＩＤの受信レベルに基づいて最寄りの所定場所（最寄りのビーコン装置）を特定して、その特定した最寄りの所定場所を自端末の所在と推定する。このため、受信レベルに基づいて、精度よく自端末の所在を推定することができる。
【００６０】
なお、この実施形態においては、決定した通信相手端末と音声通信を行うためにグループアドレスに向けて音声データを送信しているが、これに限られない。例えば、決定した通信相手端末に固有のアドレスが割り当てられている場合、そのアドレスに向けて音声データを送信してもよい。具体的には、制御部１１は、受け付けた所定場所に対応付けられている端末ＩＤを、所在テーブルを参照して特定して、その特定した端末ＩＤの固有のアドレスに音声データを送信すればよい。
【００６１】
また、この実施形態においては、チャネルとしてデジタルのグループアドレスを用いたが、これに限られない。例えば、チャネルとしてアナログの周波数帯域を用いてもよい。この場合、図５の管理テーブルのグループアドレスに代えて、ビーコンＩＤ毎に（つまり、場所毎に）異なる周波数帯域を割り当てればよい。受信側は、移動に伴って最寄りのビーコン装置が変われば受信可能なバンドを切り替え、送信側は所望する場所に割り当てられたバンドに向けて電波をキャリアとして音声通信を行えばよい。
【００６２】
以上で実施形態の説明を終了するが、上記実施形態は一例であり、無線通信端末１０の構成や処理の内容などが上記実施形態で説明したものに限られないことはもちろんである。
【００６３】
（変形例）
上述した実施形態では、全体の構成を図１に示す無線通信端末１０、２０、３０と、ビーコン装置１乃至５と、で構成したが、これに限られない。例えば、図１の変形例として、図１２のように全体を構成することもできる。
【００６４】
この変形例においては、制御装置２００を備える点と、各無線通信端末１０、２０、３０それぞれが固有のアドレスを有する点と、が上述した実施形態と異なる。また、この変形例では、制御装置２００が、無線通信端末間（例えば、無線通信端末１０と２０との間）の通信を制御する点が上述した実施形態と異なる。そこで、この異なる点を中心に以下説明する。
【００６５】
制御装置２００は、図１３に示す管理テーブルを記憶している。この管理テーブルは、図５に示した管理テーブルのグループアドレスが固有アドレスリストになったものである。この固有アドレスリストにおいて、１92.１68.１.１0１は無線通信端末１０の固有アドレスを、１92.１68.１.１02は無線通信端末２０の固有アドレスを、１92.１68.１.１03は無線通信端末３０の固有アドレスを、１92.１68.１.１04乃至１92.１68.１.１08は複数の他の無線通信端末の固有アドレスを、それぞれ示す。
【００６６】
この管理テーブルは、各無線通信端末から送信される所在情報に基づいて作成される。具体的には、制御装置２００は、受信した所在情報から、無線通信端末からの最寄りのビーコン装置のビーコンＩＤと、その無線通信端末の端末ＩＤと、を取得する。そして、制御装置２００は、管理テーブルにおいて、ビーコンＩＤとそのビーコンＩＤが識別する場所と端末ＩＤの固有アドレスとを対応付けて記憶する。
【００６７】
ここで、制御装置２００が行う無線通信端末間の通信制御について、無線通信端末１０と、鮮魚売り場を最寄りとする他の無線通信端末と、を適宜例にとって説明する。
【００６８】
まず、無線通信端末１０のユーザが通話先として鮮魚売り場を指定したとする。すると、無線通信端末１０の制御部１１は、指定された鮮魚売り場を受け付けて、通話先が鮮魚売り場であることを示すデータ（例えば、鮮魚売り場を識別するビーコンＩＤ４）と、音声データと、を制御装置２００に送信する。
【００６９】
制御装置２００は、通話先の所定場所を示すデータ（ビーコンＩＤ）と、音声データと、を受信すると、管理テーブルを参照して、ビーコンＩＤに対応する固有アドレスを特定する。そして、制御装置２００は、その固有アドレスに向けて受信した音声データを送信する。
【００７０】
例えば、受信したビーコンＩＤが４であれば、制御装置２００は、固有アドレスリストから１92.１68.１.１04と１92.１68.１.１07とを特定し、音声データをコピーして２つ作成後、それぞれの固有アドレスに向けて音声データを送信する。これにより、無線通信端末１０と、２台の無線通信端末との間でのグループ音声通信が可能となる。
【００７１】
以上、図１２及び図１３を参照しながら説明した変形例においては、制御装置２００が各無線通信端末間の通信（例えば、音声通信）を制御するようにしている。このため、各無線通信端末が所在情報を受信して所在テーブルを記憶しておく必要がないので、各無線通信端末の記憶容量を下げつつ処理負荷を軽減することができる。
【００７２】
また、上述した実施形態および変形例においては、いずれも所定場所に限定した音声通信であることを前提に説明したが、これに限られない。例えば、ビーコン装置は所定場所に設置されてその所定場所を識別する場所識別情報（ビーコンＩＤ）を送信するようにしたが、ビーコン装置は可搬型でもよい。
【００７３】
この場合、ビーコン装置は、単なる発信源（可搬型の発信源でもよい）として自装置の識別情報を装置周辺に送信する。その発信源の識別情報を受信した無線通信端末は、自端末を特定するための情報（例えば、端末識別情報）を、発信源の識別情報に対応付けてブロードキャストする。そして、ブロードキャストされた端末識別情報と発信源の識別情報とを受信した他の無線通信端末は、それらを対応付けて記憶しておく。このようにしておくと、他の無線通信端末のユーザは、発信源の識別情報を指定するだけで、その識別情報と対応する端末識別情報の無線通信端末を、通信相手端末として通信することができる。
【００７４】
具体的には、他の無線通信端末の制御部（例えば、無線通信端末１０の制御部１１）は、ユーザが指定した発信源の識別情報を受け付け、その識別情報に基づいて特定される他の無線通信端末を、通信相手端末として決定し、決定した通信相手端末と通信すればよい。
【００７５】
また、上述した実施形態および変形例においては、無線通信端末１０の制御部１１が、各処理に係る機能を実現するようにしたが、これに限られない。例えば、複数の制御部で上記各処理に係る機能を分担しながら連携して実現してもよい。この場合、各制御部を構成するＣＰＵが複数あることになり、それぞれのＣＰＵが各処理を分担しながら連携することで上述した機能を実現する。
【００７６】
また、本発明に係る無線通信端末１０は、専用の装置によらず、通常のコンピュータを用いて実現可能である。例えば、コンピュータがプログラムを実行することで、無線通信端末１０の機能を実現してもよい。無線通信端末１０の機能を実現するためのプログラムは、ＵＳＢ（Universal Serial Bus）メモリ、ＣＤ−ＲＯＭ（Compact Disc Read Only Memory）、ＤＶＤ（Digital Video Disc）、ＨＤＤ（Hard Disk Drive）などのコンピュータ読み取り可能な記録媒体に記憶されてもよいし、ネットワークを介してコンピュータにダウンロードされてもよい。
【００７７】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００７８】
（付記１）
所定場所を受け付ける受付手段と、
前記受付手段で受け付けた所定場所に基づいて他の無線通信端末を、通信相手端末として決定する決定手段と、
前記決定手段で決定した通信相手端末と通信を行う通信手段と、
を備えたことを特徴とする無線通信端末。
【００７９】
（付記２）
前記他の無線通信端末の所在を示す所在情報を受信する受信手段と、
前記受信手段が受信した所在情報から、前記他の無線通信端末を識別する端末識別情報と、該他の無線通信端末からの最寄りの所定場所を識別する場所識別情報と、を取得する取得手段と、
を備え、
前記決定手段は、前記取得手段が取得した前記端末識別情報と前記場所識別情報とに基づいて、前記所定場所を最寄りとする前記他の無線通信端末を、前記通信相手端末として決定する、
ことを特徴とする付記１に記載の無線通信端末。
【００８０】
（付記３）
前記通信手段は、前記他の無線通信端末からの最寄りの所定場所に割り当てられたチャネルにデータを送信して、前記通信相手端末と通信を行う、
ことを特徴とする付記２に記載の無線通信端末。
【００８１】
（付記４）
前記通信手段は、前記通信相手端末と音声通信を行う、
ことを特徴とする付記１乃至３の何れか一つに記載の無線通信端末。
【００８２】
（付記５）
所定場所を識別する場所識別情報を受信する受信手段と、
前記受信手段が受信した場所識別情報に基づいて、自端末の所在を推定する推定手段と、
前記推定手段が推定した自端末の所在を示す所在情報を、他の無線通信端末に送信する送信手段と、
を備えたことを特徴とする無線通信端末。
【００８３】
（付記６）
前記推定手段は、前記場所識別情報に基づいて最寄りの所定場所を特定し、該特定した最寄りの所定場所を自端末の所在と推定し、
前記送信手段は、前記最寄りの所定場所を識別する場所識別情報と、自端末を識別する端末識別情報と、を含む前記所在情報を、前記他の無線通信端末に送信する、
ことを特徴とする付記５に記載の無線通信端末。
【００８４】
（付記７）
前記推定手段は、前記受信手段が受信した場所識別情報が１つの場合、該場所識別情報が識別する所定場所を最寄りの所定場所として特定する、
ことを特徴とする付記６に記載の無線通信端末。
【００８５】
（付記８）
前記推定手段は、前記受信手段が受信した場所識別情報が複数の場合、受信強度が最大の場所識別情報が識別する所定場所を最寄りの所定場所として特定する、
ことを特徴とする付記６に記載の無線通信端末。
【００８６】
（付記９）
前記最寄りの所定場所に割り当てられたチャネルをデータ受信可能に設定する設定手段を備え、
前記設定手段は、前記チャネル以外のチャネルをデータ受信不可能に設定する、
ことを特徴とする付記６乃至８の何れか一つに記載の無線通信端末。
【００８７】
（付記１０）
所定場所を受け付ける受付ステップと、
前記受付ステップにおいて受け付けた所定場所に基づいて無線通信端末を、通信相手端末として決定する決定ステップと、
前記決定ステップにおいて決定した通信相手端末と通信を行う通信ステップと、
を備えたことを特徴とする無線通信方法。
【００８８】
（付記１１）
コンピュータを、
所定場所を受け付ける受付手段、
前記受付手段で受け付けた所定場所に基づいて無線通信端末を、通信相手端末として決定する決定手段、
前記決定手段で決定した通信相手端末と通信を行う通信手段、
として機能させるためのプログラム。
【００８９】
（付記１２）
所定場所を識別する場所識別情報を受信する受信ステップと、
前記受信ステップにおいて受信した場所識別情報に基づいて、無線通信端末の所在を推定する推定ステップと、
前記推定ステップにおいて推定した無線通信端末の所在を示す所在情報を、他の無線通信端末に送信する送信ステップと、
を備えたことを特徴とする無線通信方法。
【００９０】
（付記１３）
コンピュータを、
所定場所を識別する場所識別情報を受信する受信手段、
前記受信手段が受信した場所識別情報に基づいて、無線通信端末の所在を推定する推定手段、
前記推定手段が推定した無線通信端末の所在を示す所在情報を、他の無線通信端末に送信する送信手段、
として機能させるためのプログラム。
【００９１】
（付記１４）
所定場所を識別する場所識別情報と、無線通信端末を識別する端末識別情報と、を対応付けて記憶する記憶手段と、
他の無線通信端末から、前記場所識別情報を受信する受信手段と、
前記受信手段が受信した場所識別情報に対応する端末識別情報を前記記憶手段を参照して特定し、該特定した端末識別情報が識別する無線通信端末と前記他の無線通信端末との間の通信を制御する制御手段と、
を備えたことを特徴とする制御装置。
【００９２】
（付記１５）
発信源の識別情報を指定する指定手段と、
前記指定手段で指定した発信源の識別情報に基づいて特定される他の無線通信端末を、通信相手端末として決定する決定手段と、  前記決定手段で決定した通信相手端末と通信する通信手段と、
を備えたことを特徴とする無線通信端末。
【００９３】
（付記１６）
発信源の識別情報を指定する指定ステップと、
前記指定ステップにおいて指定した発信源の識別情報に基づいて特定される無線通信端末を、通信相手端末として決定する決定ステップと、
前記決定ステップにおいて決定した通信相手端末と通信する通信ステップと、
を備えたことを特徴とする無線通信方法。
【００９４】
（付記１７）
コンピュータを、
発信源の識別情報を指定する指定手段、
前記指定手段で指定した発信源の識別情報に基づいて特定される無線通信端末を、通信相手端末として決定する決定手段、
前記決定手段で決定した通信相手端末と通信する通信手段、
として機能させるためのプログラム。
【符号の説明】
【００９５】
１乃至５…ビーコン装置、１０，２０,３０…無線通信端末、１１…制御部、１２…入力部、１３…表示部、１４…記憶部、１５…音声入出力部、１６…近距離無線通信部、１７…無線通信部、１００…ネットワーク、２００…制御装置
【図１】
2017201823.tif 000003
【図２】
2017201823.tif 000004
【図３】
2017201823.tif 000005
【図４】
2017201823.tif 000006
【図５】
2017201823.tif 000007
【図６】
2017201823.tif 000008
【図７】
2017201823.tif 000009
【図８】
2017201823.tif 000010
【図９】
2017201823.tif 000011
【図１０】
2017201823.tif 000012
【図１１】
2017201823.tif 000013
【図１２】
2017201823.tif 000014
【図１３】
2017201823.tif 000015
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
特定エリアにおける複数の指定場所の内の何れかの場所で端末が検出された場合には、検出された端末の端末識別情報と場所識別情報とを含む所在情報を取得する取得手段と、
前記取得手段で取得した前記所在情報に基づいて、前記複数の指定場所と、それぞれの場所に存在する各端末の端末識別情報とを対応付けて記憶手段に記憶するよう制御する記憶制御手段と、
を具備したことを特徴とする端末管理装置。
【請求項２】
特定エリアにおける複数の指定場所の内の何れかの場所で端末が検出された場合には、検出された端末の端末識別情報と場所識別情報とを含む所在情報を取得する取得手段と、
前記取得手段で取得した端末識別情報を前記特定エリアに存在する端末の端末識別情報として記憶手段に記憶させる場合に、前記端末識別情報と共に場所識別情報を取得した場合には、各端末の端末識別情報を前記場所識別情報で識別される場所に対応付けて前記記憶手段に記憶するよう制御する記憶制御手段と、
を具備したことを特徴とする端末管理装置。
【請求項３】
前記複数の指定場所の各場所に存在する端末を識別して出力する出力手段と、
を更に具備したことを特徴とする請求項１又は２に記載の端末管理装置。
【請求項４】
前記出力手段は、前記複数の指定場所の各場所に存在する端末と、当該複数の指定場所を含む前記特定エリアに存在する端末と、を識別して出力する、
ことを特徴とする請求項３に記載の端末管理装置。
【請求項５】
前記複数の指定場所の内の何れかの指定場所が任意に選択された場合には、前記記憶手段を参照することで前記選択の指定場所に存在する端末を特定する特定手段と、
を更に具備したことを特徴とする請求項１〜４の何れかに記載の端末管理装置。
【請求項６】
前記記憶制御手段は、前記取得手段で取得した前記所在情報に含まれる端末識別情報が、当該所在情報に含まれる場所識別情報の第１場所とは異なる第２場所と対応付けて前記記憶手段に記憶されていれば、前記記憶手段に記憶させる前記端末識別情報に対応付ける指定場所を、前記第２場所から前記第１場所へ変更して記憶するよう制御する、
ことを特徴とする請求項１〜５の何れかに記載の端末管理装置。
【請求項７】
近距離無線での通信が可能な端末装置であって、
複数の指定場所から近距離無線で送信される複数の場所情報の内で、当該端末装置が近距離無線で受信可能な場所情報を受信する受信手段と、
前記受信手段で場所情報を受信した場合には、受信した当該場所情報と当該端末装置の端末識別情報とを対応付けた所在情報を、当該端末装置が現在存在する場所を示す情報として出力する出力制御手段と、
を具備したことを特徴とする端末装置。
【請求項８】
前記受信手段で前記複数の場所情報の内の何れかの場所情報を、近距離無線で受信可能か否かを判別する判別手段と、
を具備し、
前記出力制御手段は、前記判別手段で前記場所情報を受信した場合には、当該端末装置が前記場所情報で示される指定場所の近傍に居ることを当該場所情報と端末識別情報をの対応付けて示す所在情報を出力し、前記判別手段で前記場所情報を受信できなかった場合には、当該端末装置が前記複数の指定場所の何れの近傍位置にも居ないことを示す所在情報を出力する、
ことを特徴とする請求項７に記載の端末装置。
【請求項９】
他の端末装置が自身の端末装置の端末識別情報と場所情報とを対応付けた所在情報を通信手段で送信出力した場合には、当該所在情報をする第２受信手段と、
前記第２受信手段で受信した所在情報に含まれる端末識別情報と場所情報とに基づいて、前記他の端末装置が現在存在する指定場所を対応付けて記憶手段に記憶するよう制御する記憶制御手段と、
を更に具備しことを特徴とする請求項７又は８に記載の端末装置。
【請求項１０】
前記複数の指定場所の内の何れかの指定場所を選択した場合には、前記記憶手段に記憶された所在情報を参照することで、前記選択の指定場所に現在存在する他の端末装置を特定する特定手段と、
を更に具備しことを特徴とする請求項７〜９の何れかに記載の端末装置。
【請求項１１】
複数の端末を管理する方法であって、
特定エリアにおける複数の指定場所の内の何れかの場所で端末が検出された場合には、検出された端末の端末識別情報と場所識別情報とを含む所在情報を取得する取得ステップと、
前記取得ステップで取得した前記所在情報に基づいて、前記複数の指定場所と、それぞれの場所に存在する各端末の端末識別情報とを対応付けて記憶手段に記憶するよう制御する記憶制御ステップと、
とからなる端末管理方法。
【請求項１２】
複数の端末を管理する方法であって、
特定エリアにおける複数の指定場所の内の何れかの場所で端末が検出された場合には、検出された端末の端末識別情報と場所識別情報とを含む所在情報を取得する取得ステップと、
前記取得手段で取得した端末識別情報を前記特定エリアに存在する端末の端末識別情報として記憶手段に記憶させる場合に、前記端末識別情報と共に場所識別情報を取得した場合には、各端末の端末識別情報を前記場所識別情報で識別される場所に対応付けて前記記憶手段に記憶するよう制御する記憶制御ステップと、
とからなる端末管理方法。
【請求項１３】
端末装置の場所を出力する方法であって、
複数の指定場所から近距離無線で送信される複数の場所情報の内で、当該端末装置が近距離無線で受信可能な場所情報を受信する受信ステップと、
前記受信ステップで場所情報を受信した場合には、受信した当該場所情報と当該端末装置の端末識別情報とを対応付けた所在情報を、当該端末装置が現在存在する場所を示す情報として出力する出力制御ステップと、
とからなる端末出力方法。
【請求項１４】
端末管理装置のコンピュータを制御するためのプログラムであって、
前記コンピュータを、
特定エリアにおける複数の指定場所の内の何れかの場所で端末が検出された場合には、検出された端末の端末識別情報と場所識別情報とを含む所在情報を取得する取得手段、
前記取得手段で取得した前記所在情報に基づいて、前記複数の指定場所と、それぞれの場所に存在する各端末の端末識別情報とを対応付けて記憶手段に記憶するよう制御する記憶制御手段、
として機能させるようにしたプログラム。
【請求項１５】
端末管理装置のコンピュータを制御するためのプログラムであって、
前記コンピュータを、
特定エリアにおける複数の指定場所の内の何れかの場所で端末が検出された場合には、検出された端末の端末識別情報と場所識別情報とを含む所在情報を取得する取得手段、
前記取得手段で取得した端末識別情報を前記特定エリアに存在する端末の端末識別情報として記憶手段に記憶させる場合に、前記端末識別情報と共に場所識別情報を取得した場合には、各端末の端末識別情報を前記場所識別情報で識別される場所に対応付けて前記記憶手段に記憶するよう制御する記憶制御手段、
として機能させるようにしたプログラム。
【請求項１６】
端末出力装置のコンピュータを制御するためのプログラムであって、
前記コンピュータを、
複数の指定場所から近距離無線で送信される複数の場所情報の内で、当該端末装置が近距離無線で受信可能な場所情報を受信する受信手段、
前記受信手段で場所情報を受信した場合には、受信した当該場所情報と当該端末装置の端末識別情報とを対応付けた所在情報を、当該端末装置が現在存在する場所を示す情報として出力する出力制御手段、
として機能させるようにしたプログラム。
【手続補正３】
【補正対象書類名】明細書
【補正対象項目名】０００１
【補正方法】変更
【補正の内容】
【０００１】
本発明は、端末管理装置、端末装置、端末管理方法、端末出力方法、及びプログラムに関する。
【手続補正４】
【補正対象書類名】明細書
【補正対象項目名】０００５
【補正方法】変更
【補正の内容】
【０００５】
本発明は、端末装置が現在居る場所を管理することを目的とする。
【手続補正５】
【補正対象書類名】明細書
【補正対象項目名】０００６
【補正方法】変更
【補正の内容】
【０００６】
請求項１は、特定エリアにおける複数の指定場所の内の何れかの場所で端末が検出された場合には、検出された端末の端末識別情報と場所識別情報とを含む所在情報を取得する取得手段と、前記取得手段で取得した前記所在情報に基づいて、前記複数の指定場所と、それぞれの場所に存在する各端末の端末識別情報とを対応付けて記憶手段に記憶するよう制御する記憶制御手段と、を具備したことを特徴とする。
請求項２は、特定エリアにおける複数の指定場所の内の何れかの場所で端末が検出された場合には、検出された端末の端末識別情報と場所識別情報とを含む所在情報を取得する取得手段と、前記取得手段で取得した端末識別情報を前記特定エリアに存在する端末の端末識別情報として記憶手段に記憶させる場合に、前記端末識別情報と共に場所識別情報を取得した場合には、各端末の端末識別情報を前記場所識別情報で識別される場所に対応付けて前記記憶手段に記憶するよう制御する記憶制御手段と、を具備したことを特徴とする。
【手続補正６】
【補正対象書類名】明細書
【補正対象項目名】０００７
【補正方法】変更
【補正の内容】
【０００７】
請求項７は、近距離無線での通信が可能な端末装置であって、複数の指定場所から近距離無線で送信される複数の場所情報の内で、当該端末装置が近距離無線で受信可能な場所情報を受信する受信手段と、前記受信手段で場所情報を受信した場合には、受信した当該場所情報と当該端末装置の端末識別情報とを対応付けた所在情報を、当該端末装置が現在存在する場所を示す情報として出力する出力制御手段と、を具備したことを特徴とする。
【手続補正７】
【補正対象書類名】明細書
【補正対象項目名】０００８
【補正方法】変更
【補正の内容】
【０００８】
本発明によれば、端末装置が現在居る場所を管理することができる。